Podtech/llm-jp-corpus-v4-ja_patent huggingface dataset:
【手続補正書】
【提出日】平成19年8月22日(2007.8.22)
【手続補正１】
【補正対象書類名】明細書
【補正対象項目名】請求項１
【補正方法】変更
【補正の内容】
【請求項１】  水処理系における水処理用薬品の濃度を測定するに際し、水処理用薬品を含む試料を酸化し、試料の酸化前の電気伝導度と酸化後の電気伝導度との差分を、少なくとも２個の電極を有する電気伝導度測定セルを前記酸化前の位置と酸化後の位置とに配置し、両電気伝導度測定セルからの検出信号自身の差分を両電気伝導度測定セルの位置間の試料の電気伝導度の差分として出力する差伝導度計を用いて検出することにより、水処理用薬品の酸化分解によって生じた電気伝導度増加量を測定し、該電気伝導度増加量から試料中の水処理用薬品の濃度を定量することを特徴とする、水処理用薬品の濃度測定方法。
【手続補正２】
【補正対象書類名】明細書
【補正対象項目名】００１６
【補正方法】変更
【補正の内容】
【００１６】
【課題を解決するための手段】
上記課題を解決するために、本発明者等は、上記従来技術の問題点を解決すべく鋭意研究を重ねた結果、水処理系に添加する水処理用薬品の特定の有効成分自体の水中濃度を測定する方法として、水処理用薬品を含む試料を酸化し、酸化分解によって生じた電気伝導度増加量を高精度と長期安定性を兼備した新規な電気伝導度計（差伝導度計）で測定し、この電気伝導度増加量から試料中の水処理用薬品濃度を定量することができるという知見を得、この知見に基づいて水処理用薬品の濃度測定および管理を行うことができることを見出し、本発明を完成するに至った。
【手続補正３】
【補正対象書類名】明細書
【補正対象項目名】００１７
【補正方法】変更
【補正の内容】
【００１７】
即ち、本発明に係る水処理用薬品の濃度測定方法は、水処理系における水処理用薬品の濃度を測定するに際し、水処理用薬品を含む試料を酸化し、試料の酸化前の電気伝導度と酸化後の電気伝導度との差分を、少なくとも２個の電極を有する電気伝導度測定セルを前記酸化前の位置と酸化後の位置とに配置し、両電気伝導度測定セルからの検出信号自身の差分を両電気伝導度測定セルの位置間の試料の電気伝導度の差分として出力する差伝導度計を用いて検出することにより、水処理用薬品の酸化分解によって生じた電気伝導度増加量を測定し、該電気伝導度増加量から試料中の水処理用薬品の濃度を定量することを特徴とする方法からなる。
【手続補正４】
【補正対象書類名】明細書
【補正対象項目名】００８０
【補正方法】変更
【補正の内容】
【００８０】
次に、本発明のより具体的な実施の形態について説明するが、本発明はこれらに限定されるものではない。
本発明に係る水処理系（例えば、冷却水系）の水処理用薬品の濃度管理方法においては、検出対象薬品の検量線を予め作成しておく。この様な検量線は、検出対象薬品を含まないブランク水及び異なる既知検出対象薬品濃度の幾つかの対象水の差分伝導度の測定を行って作成する。なお、ブランク水としては、検出対象薬品のみを含まず他の成分（例えば、不純物成分や他の水処理用薬品）は同じブランク水を用いるのが測定精度の点で好ましいことは勿論である。
【手続補正５】
【補正対象書類名】明細書
【補正対象項目名】００８４
【補正方法】変更
【補正の内容】
【００８４】
次に、本発明に係る方法を実施する装置のシステムについて説明する。装置は、前述の如く、基本的にキャリア溶液を送液するポンプ、ポリカルボン酸及び／又はリン化合物を含む試料溶液をキャリア溶液中に注入するインジェクター、ポリカルボン酸類及び／又はリン化合物類を酸化する酸化反応器（酸化手段）、酸化前後の電気伝導度を測定する差伝導度計、差伝導度計で測定されたデータを記録するデータプロセッサーで構成されている。ただし、場合によっては、リン化合物類を含む試料溶液そのものを連続的に供給し、キャリア溶液を用いないこともあるため、そのような系ではインジェクターは不要となる。
【手続補正６】
【補正対象書類名】明細書
【補正対象項目名】００８５
【補正方法】変更
【補正の内容】
【００８５】
上記データプロセッサーは、電気伝導度増加量対ポリカルボン酸類及び／又はリン化合物類の検量線を内包し、ポリカルボン酸類及び／又はリン化合物類濃度計算等の演算処理を行うことができるのが好ましく、更に必要に応じて、ポリカルボン酸類及び／又はリン化合物類含有溶液を供給するポンプ等のポンプ類の制御信号を出力できることが好ましい。
【手続補正７】
【補正対象書類名】明細書
【補正対象項目名】００８６
【補正方法】変更
【補正の内容】
【００８６】
なお、上記装置に加えて、差伝導度計の電極表面での気泡生成を抑制するためのデガッサーや、試料とキャリア液とを均一に混合するためのインラインミキサーや混合コイル等の混合器などを必要に応じて設置してもよい。
【手続補正８】
【補正対象書類名】明細書
【補正対象項目名】００８７
【補正方法】変更
【補正の内容】
【００８７】
更に具体的に、本発明に係る測定方法および装置を図１２を用いて説明する。図１２は、本発明の測定方法を実施する装置の一例である。キャリア液には、インジェクター３０１から一定量のポリカルボン酸及び／又はリン化合物を含む試料が注入される。この試料を含むキャリア液は、ポンプ３０２により酸化反応器３０４（酸化手段）の直前に設置された差伝導度計３０６の一方の電気伝導度測定セル３０３の位置に供給される。ここで酸化前の電気伝導度を測定された試料を含むキャリア液は、酸化反応器３０４で連続的に酸化されて、差伝導度計３０６の他方の電気伝導度測定セル３０５の位置に供給される。差伝導度計３０６では酸化前の電気伝導度から酸化後の電気伝導度への増加量（変化分）が測定され、データプロセッサー３０７に記録されるとともに、その電気伝導度増加量から、ポリカルボン酸及び／又はリン化合物が定量される。
【手続補正書】
【提出日】平成19年1月18日(2007.1.18)
【手続補正１】
【補正対象書類名】明細書
【補正対象項目名】特許請求の範囲
【補正方法】変更
【補正の内容】
【特許請求の範囲】
【請求項１】
原稿を主走査方向に線状に照明する光源手段を少なくとも有する光源ユニットと、
副走査方向に移動可能に設けられ、前記光源ユニットが取付けられる筐体と、
前記筐体に固定されるとともに該筐体を副走査方向に導くガイド軸に移動可能に取付けられて、該筐体を副走査方向に移動可能にする軸受け部材と、
を備え、前記光源手段により照らされた原稿の画像情報を読取る画像読取装置において、
前記軸受け部材に対して組み付け角度を調整されて組み付けられるとともに、前記筐体に対して位置決めされて組み付けられ、該筐体と該軸受け部材とを接続する接続部材を備え、
前記接続部材は、前記ガイド軸に対して前記光源ユニットの主走査方向が直交する位置をとるように治具によって前記軸受け部材に組み付けられることを特徴とする画像読取装置。
【請求項２】
読取られる原稿と前記光源手段との間に設けられる原稿台を取り外した状態において、前記接続部材と前記軸受け部材とを組み付ける組み付け機構は、前記筐体と前記接続部材とを組み付ける組み付け機構の解放後のみ解放可能な位置に設けられることを特徴とする請求項１に記載の画像読取装置。
【請求項３】
読取られる原稿と前記光源手段との間に設けられる原稿台を取り外した状態において、前記筐体と前記接続部材とを組み付ける組み付け機構は前記接続部材に対して前記原稿台側から解放可能に設けられ、前記接続部材と前記軸受け部材とを組み付ける組み付け機構は前記接続部材に対して前記原稿台の反対側から解放可能に設けられることを特徴とする請求項１または２に記載の画像読取装置。
【請求項４】
前記筐体と前記接続部材とを組み付ける組み付け機構とは、前記接続部材に対して前記原稿台側からビス部材により締結されるものであり、
前記接続部材と前記軸受け部材とを組み付ける組み付け機構とは、前記接続部材に対して前記原稿台の反対側からビス部材により締結されるものであることを特徴とする請求項３に記載の画像読取装置。
【請求項５】
前記軸受け部材は、前記光源ユニットを位置決めする位置決め部を備えることを特徴とする請求項１乃至４のいずれか１項に記載の画像読取装置。
【請求項６】
前記光源手段は、発光素子と、該発光素子の光を原稿へと導く導光体と、を有し、
前記光源ユニットは、
前記光源手段と、
前記光源手段により照らされた原稿の反射光を結像する結像手段と、
前記結像手段により結像された前記反射光を入射させて原稿の画像情報を読取る光電変換手段と、を備え、それらを収納する前記筐体とからなることを特徴とする請求項１乃至５のいずれか１項に記載の画像読取装置。
【請求項７】
請求項１乃至６のいずれか１項に記載の画像読取装置と、
前記画像読取装置により読取られた画像情報を記録媒体に形成する画像形成手段と、
を備えることを特徴とする画像形成装置。
【手続補正２】
【補正対象書類名】明細書
【補正対象項目名】００１３
【補正方法】変更
【補正の内容】
【００１３】
【課題を解決するための手段】
上記目的を達成するために本発明にあっては、
原稿を主走査方向に線状に照明する光源手段を少なくとも有する光源ユニットと、
副走査方向に移動可能に設けられ、前記光源ユニットが取付けられる筐体と、
前記筐体に固定されるとともに該筐体を副走査方向に導くガイド軸に移動可能に取付けられて、該筐体を副走査方向に移動可能にする軸受け部材と、
を備え、前記光源手段により照らされた原稿の画像情報を読取る画像読取装置において、
前記軸受け部材に対して組み付け角度を調整されて組み付けられるとともに、前記筐体に対して位置決めされて組み付けられ、該筐体と該軸受け部材とを接続する接続部材を備え、
前記接続部材は、前記ガイド軸に対して前記光源ユニットの主走査方向が直交する位置をとるように治具によって前記軸受け部材に組み付けられることを特徴とする。
【手続補正３】
【補正対象書類名】明細書
【補正対象項目名】００１８
【補正方法】変更
【補正の内容】
【００１８】
前記光源手段は、発光素子と、該発光素子の光を原稿へと導く導光体と、を有し、
前記光源ユニットは、
前記光源手段と、
前記光源手段により照らされた原稿の反射光を結像する結像手段と、
前記結像手段により結像された前記反射光を入射させて原稿の画像情報を読取る光電変換手段と、を備え、それらを収納する前記筐体とからなることも好適である。
【手続補正書】
【提出日】平成18年12月12日(2006.12.12)
【手続補正１】
【補正対象書類名】明細書
【補正対象項目名】特許請求の範囲
【補正方法】変更
【補正の内容】
【特許請求の範囲】
【請求項１】  複数のシステムに使用可能な通信端末装置であって、
送信側で使用した拡散コードを用いて受信信号に対して行った相関演算処理の結果に基づいてセル検出を行うセル検出手段と、セル検出された基地局からの信号のレベルを測定する処理であるセル監視を行うセル監視手段と、基地局からの信号のレベルに基づいて各基地局を分類して管理するセル管理テーブルと、このセル管理テーブルの情報に基づいてセル検出及び／又はセル監視の周期を制御する管理手段と、を具備し、
前記管理手段は、他のシステムのセル候補がつかめている場合に、セル検出及び／又はセル監視の頻度を低くすることを特徴とする通信端末装置。
【請求項２】  複数のシステムに使用可能な通信端末装置であって、
送信側で使用した拡散コードを用いて受信信号に対して行った相関演算処理の結果に基づいてセル検出を行うセル検出手段と、セル検出された基地局からの信号のレベルを測定する処理であるセル監視を行うセル監視手段と、基地局からの信号のレベルに基づいて各基地局を分類して管理するセル管理テーブルと、このセル管理テーブルの情報に基づいてセル検出及び／又はセル監視の周期を制御する管理手段と、を具備し、
前記管理手段は、他のサービスオペレータに接続していて、他のサービスオペレータと自サービスオペレータの境界にいる場合、セル検出及び／又はセル監視の周期を短縮することを特徴とする通信端末装置。
【請求項３】  請求項１または請求項２に記載の通信端末装置と無線通信を行うことを特徴とする基地局装置。
【請求項４】  複数のシステムに使用可能な通信端末装置の無線通信方法であって、
送信側で使用した拡散コードを用いて受信信号に対して行った相関演算処理の結果に基づいてセル検出を行うセル検出工程と、セル検出された基地局からの信号のレベルを測定する処理であるセル監視を行うセル監視工程と、基地局からの信号のレベルに基づいて各基地局を分類して管理するセル管理テーブルと、このセル管理テーブルの情報に基づいてセル検出及び／又はセル監視の周期を制御する管理工程と、を具備し、
前記管理工程は、他のシステムのセル候補がつかめている場合に、セル検出及び／又はセル監視の頻度を低くすることを特徴とする無線通信方法。
【請求項５】  複数のシステムに使用可能な通信端末装置の無線通信方法であって、
送信側で使用した拡散コードを用いて受信信号に対して行った相関演算処理の結果に基づいてセル検出を行うセル検出工程と、セル検出された基地局からの信号のレベルを測定する処理であるセル監視を行うセル監視工程と、基地局からの信号のレベルに基づいて各基地局を分類して管理するセル管理テーブルと、このセル管理テーブルの情報に基づいてセル検出及び／又はセル監視の周期を制御する管理工程と、を具備し、
前記管理工程は、他のサービスオペレータに接続していて、他のサービスオペレータと自サービスオペレータの境界にいる場合、セル検出及び／又はセル監視の周期を短縮することを特徴とする無線通信方法。
【手続補正２】
【補正対象書類名】明細書
【補正対象項目名】０００８
【補正方法】変更
【補正の内容】
【０００８】
【課題を解決するための手段】
本発明の通信端末装置は、複数のシステムに使用可能な通信端末装置であって、送信側で使用した拡散コードを用いて受信信号に対して行った相関演算処理の結果に基づいてセル検出を行うセル検出手段と、セル検出された基地局からの信号のレベルを測定する処理であるセル監視を行うセル監視手段と、基地局からの信号のレベルに基づいて各基地局を分類して管理するセル管理テーブルと、このセル管理テーブルの情報に基づいてセル検出及び／又はセル監視の周期を制御する管理手段と、を具備し、前記管理手段は、他のシステムのセル候補がつかめている場合に、セル検出及び／又はセル監視の頻度を低くする構成を採る。また、本発明の通信端末装置は、複数のシステムに使用可能な通信端末装置であって、送信側で使用した拡散コードを用いて受信信号に対して行った相関演算処理の結果に基づいてセル検出を行うセル検出手段と、セル検出された基地局からの信号のレベルを測定する処理であるセル監視を行うセル監視手段と、基地局からの信号のレベルに基づいて各基地局を分類して管理するセル管理テーブルと、このセル管理テーブルの情報に基づいてセル検出及び／又はセル監視の周期を制御する管理手段と、を具備し、前記管理手段は、他のサービスオペレータに接続していて、他のサービスオペレータと自サービスオペレータの境界にいる場合、セル検出及び／又はセル監視の周期を短縮する構成を採る。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１５
【補正方法】変更
【補正の内容】
【００１５】
本発明の無線通信方法は、複数のシステムに使用可能な通信端末装置の無線通信方法であって、送信側で使用した拡散コードを用いて受信信号に対して行った相関演算処理の結果に基づいてセル検出を行うセル検出工程と、セル検出された基地局からの信号のレベルを測定する処理であるセル監視を行うセル監視工程と、基地局からの信号のレベルに基づいて各基地局を分類して管理するセル管理テーブルと、このセル管理テーブルの情報に基づいてセル検出及び／又はセル監視の周期を制御する管理工程と、を具備し、前記管理工程は、他のシステムのセル候補がつかめている場合に、セル検出及び／又はセル監視の頻度を低くする。また、本発明の無線通信方法は、複数のシステムに使用可能な通信端末装置の無線通信方法であって、送信側で使用した拡散コードを用いて受信信号に対して行った相関演算処理の結果に基づいてセル検出を行うセル検出工程と、セル検出された基地局からの信号のレベルを測定する処理であるセル監視を行うセル監視工程と、基地局からの信号のレベルに基づいて各基地局を分類して管理するセル管理テーブルと、このセル管理テーブルの情報に基づいてセル検出及び／又はセル監視の周期を制御する管理工程と、を具備し、前記管理工程は、他のサービスオペレータに接続していて、他のサービスオペレータと自サービスオペレータの境界にいる場合、セル検出及び／又はセル監視の周期を短縮する。
【手続補正８】
【補正対象書類名】明細書
【補正対象項目名】００１６
【補正方法】変更
【補正の内容】
【００１６】
これらの方法により、複数のシステムにて使用可能な通信端末装置において、各システムのセル候補の情報を利用してセル検出及び／又はセル監視の周期を制御することができる。これは、コンプレスとモードにおいて送信停止期間中に他のシステムを監視する場合に有効である。また、他のサービスオペレータと自サービスオペレータの境界にいる場合に早く自サービスオペレータに戻ることができる。
【手続補正書】
【提出日】平成19年7月27日(2007.7.27)
【手続補正１】
【補正対象書類名】明細書
【補正対象項目名】特許請求の範囲
【補正方法】変更
【補正の内容】
【特許請求の範囲】
【請求項１】  矩形状の鋼板の長辺側の二辺をコの字状もしくはＬ字状に内側に折り曲げて形成された折曲部を有する複数のフレームおよびパネルを備え、上記フレームおよびパネルは、上記折曲部においてリベットにより締結固定され、吊りボルトや基礎ボルト等が取り付けられ局部的に大きな力が加わる部分は、複数の上記フレームもしくは上記パネルが重なるように構成されていることを特徴とするスイッチギヤ用筐体。
【請求項２】  上記フレームおよび上記パネルの折曲部は、折り曲げ線が全て平行であり、かつ一方向に折り曲げて形成されることを特徴とする請求項１記載のスイッチギヤ用筐体。
【請求項３】  複数の上記フレームおよび上記パネルを接合して形成される筐体の底部は、矩形状の鋼板の長辺側の二辺をコの字状もしくはＬ字状に内側に折り曲げて形成され、上記筐体の前後に配置される底面用幅方向フレームと、矩形状の鋼板の長辺側の二辺をコの字状もしくはＬ字状に内側に折り曲げて形成され、上記筐体の左右に配置される底面用奥行方向フレームとを矩形状に接合することにより構成され、
上記筐体の天井部は、矩形状の鋼板の長辺側の二辺をコの字状もしくはＬ字状に内側に折り曲げて形成され、上記筐体の前後に配置される天井用幅方向フレームと、矩形状の鋼板の長辺側の二辺をコの字状もしくはＬ字状に内側に折り曲げて形成され、上記筐体の左右に配置される天井用奥行方向フレームとを矩形状に接合することにより構成され、
上記筐体の側面部は、矩形状の鋼板の長辺側の二辺をコの字状もしくはＬ字状に内側に折り曲げて形成され、上記筐体の後面に上記折り曲げ部を左右に位置して配置される背面パネルと、矩形状の鋼板の長辺側の二辺をコの字状もしくはＬ字状に内側に折り曲げて形成され、上記筐体の前面左右に配置される側面フレームからなり、上記背面パネルおよび左右の側面フレームの下端部を上記矩形状に接合されている底面用幅方向フレームと底面用奥行方向フレームに接合し、上記背面パネルおよび左右の側面フレームの上端部を上記矩形状に接合されている天井用幅方向フレームと天井用奥行方向フレームに接合することにより構成されていることを特徴とする請求項１又は請求項２記載のスイッチギヤ用筐体。
【請求項４】  複数の上記フレームおよび上記パネルを接合して形成される筐体の底部を構成する底面用幅方向フレームと底面用奥行方向フレームには、コの字状に折り曲げ加工を施し、底面から離れた部分に底カバーの取付穴を設けたことを特徴とする請求項１〜３のいずれか一項記載のスイッチギヤ用筐体。
【請求項５】  複数の上記フレームおよび上記パネルを接合して形成される筐体の天井部を構成する天井用幅方向フレームには、コの字状に折り曲げ加工を施すことにより制御用配線部材を収納するスペースを設けたことを特徴とする請求項１〜４のいずれか一項記載のスイッチギヤ用筐体。
【手続補正２】
【補正対象書類名】明細書
【補正対象項目名】０００６
【補正方法】変更
【補正の内容】
【０００６】
【課題を解決するための手段】
この発明に係わるスイッチギヤ用筐体は、矩形状の鋼板の長辺側の二辺をコの字状もしくはＬ字状に内側に折り曲げて形成された折曲部を有する複数のフレームおよびパネルを備え、フレームおよびパネルは、折曲部においてリベットにより締結固定され、吊りボルトや基礎ボルト等が取り付けられ局部的に大きな力が加わる部分は、複数のフレームもしくはパネルが重なるように構成されているものである。
また、フレームおよびパネルの折曲部は、折り曲げ線が全て平行であり、かつ一方向に折り曲げて形成されるものである。
【手続補正３】
【補正対象書類名】明細書
【補正対象項目名】００１９
【補正方法】変更
【補正の内容】
【００１９】
【発明の効果】
以上のように、この発明によれば、スイッチギヤ用筐体を構成するフレームやパネル等の各部材は、矩形状の鋼板の長辺側の二辺をコの字状もしくはＬ字状に内側に折り曲げて形成された折曲部を有する複数のフレームおよびパネルを備え、フレームおよびパネルは、折曲部においてリベットにより締結固定され、吊りボルトや基礎ボルト等が取り付けられ局部的に大きな力が加わる部分は、複数のフレームもしくはパネルが重なるように構成したので、溶接作業が不要となり、スイッチギヤ用筐体の製造において、筐体の組立が容易に行えかつ作業時間を短縮することができ、さらに従来の溶接構造と同程度の機械的強度を有するスイッチギヤ用筐体を得ることができる。
さらに、スイッチギヤ用筐体の運搬時や据付後に局部的に大きな力が加わる部分を、複数のフレームまたはパネルの一部が重畳する構造にすることにより、スイッチギヤ用筐体の運搬時や据付後の機械的強度を高めることができる。
【手続補正４】
【補正対象書類名】明細書
【補正対象項目名】００２０
【補正方法】変更
【補正の内容】
【００２０】
また、フレームおよびパネルの折曲部は、折り曲げ線が全て平行であり、かつ一方向に折り曲げて形成したので、各構成部材の加工が容易になる。
また、筐体の背面を一枚のパネルで構成することにより、フレームのみで構成する場合に比して筐体の機械的強度を高めることができ、かつ背面カバーを省略できる。
【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
駆動部と、該駆動部に設けられた回転軸により回転されるロータと、該ロータを受容する回転室と、該回転室の上方に位置し、開閉可能に配置されたドアと、運転状態を表示する表示部とを有する遠心分離機において、
前記回転軸は複数設けられており、該複数の回転軸ごとに使用実績を記憶する記憶手段を有し、該記憶手段により記憶された使用実績を前記表示部に表示することを特徴とする遠心分離機。
【請求項２】
前記駆動部の回転軸が、同心状に複数設けられていることを特徴とする請求項１記載の遠心分離機。
【請求項３】
前記使用実績として、積算運転時間または積算運転回数であることを特徴とする請求項１乃至２記載の遠心分離機。
【請求項４】
前記表示部は切替え手段により、前記記憶手段に記憶されている使用実績の積算運転時間と積算運転回数を切替えて表示することを特徴とする請求項３記載の遠心分離機。
【請求項５】
駆動部と、該駆動部に設けられた回転軸により回転されるロータと、該ロータを受容する回転室と、該回転室の上方に位置し、開閉可能に配置されたドアと、運転状態を表示する表示部とを有する遠心分離機において、
前記回転軸は複数設けられており、該複数の回転軸ごとに使用実績を記憶する記憶手段を有し、該記記憶手段により記憶された使用実績を外部に出力する出力手段を備えていることを特徴とする遠心分離機。
【請求項６】
前記駆動部の回転軸が、同心状に複数設けられていることを特徴とする請求項５記載の遠心分離機。
【請求項７】
前記使用実績として、積算運転時間または積算運転回数であるとを特徴とする請求項５乃至６記載の遠心分離機。
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
少なくとも一部が透明な部材で形成された遊技板から構成される遊技盤と、前記遊技板の裏面側に配備され、所定の画像を表示可能な表示装置とを有する弾球遊技機であって、
前記遊技板と前記表示装置との間に、遊技球が通過可能な所定の間隔を形成するスペーサが備えられていることを特徴とする弾球遊技機。
【請求項２】
前記スペーサは、前記表示装置に設けられた表示領域を視認可能とする貫通孔が設けられていることを特徴とする請求項１に記載の弾球遊技機。
【請求項３】
少なくとも一部が透明な部材で前記所定の間隔に形成されており、前記遊技板の表面側の遊技領域に打ち出された遊技球を前記遊技板の裏側の遊技領域へ転動案内させるとともに、裏側の遊技領域に転動された遊技球を表側の遊技領域へ排出する裏通路部と、
前記裏通路部内を通過する遊技球を検出する検出部と、
前記検出部による検出結果に基づいて遊技球の通過を判定する遊技球通過判定手段と、
前記遊技球通過判定手段による判定結果に基づいて所定の演出を実行する演出実行手段と
を備え、
前記検出部は、前記スペーサに備えられていることを特徴とする請求項１に記載の弾球遊技機。
【手続補正２】
【補正対象書類名】明細書
【補正対象項目名】０００５
【補正方法】変更
【補正の内容】
【０００５】
本発明は、以上の問題点を解決するために、少なくとも一部が透明な部材で形成された遊技板（例えば、遊技板３２）から構成される遊技盤（例えば、遊技盤３０）と、遊技板の裏面側に配備され、所定の画像を表示可能な表示装置（例えば、液晶ディスプレイ部７０）とを有する弾球遊技機であって、遊技板と表示装置との間に遊技球が通過可能な所定の間隔を形成するスペーサ（例えば、スペーサ１１０）が備えられていることを特徴とする。
【手続補正３】
【補正対象書類名】明細書
【補正対象項目名】０００６
【補正方法】変更
【補正の内容】
【０００６】
このような本発明によれば、遊技板と表示装置との間に遊技球が通過可能な所定の間隔を形成するスペーサを備えたことにより、表面側のみならず裏面側においても遊技球が流下可能となるため、弾球遊技機は、奥行感のある遊技を実行可能な構造を持つことができるとともに、遊技の興趣を飛躍的に高めることができる。
【手続補正４】
【補正対象書類名】明細書
【補正対象項目名】０００７
【補正方法】変更
【補正の内容】
【０００７】
この場合には、遊技板と表示装置との間に遊技球が通過可能な所定の間隔を形成するスペーサを備えことにより、弾球遊技機は、表示装置の動作に伴って発生する熱が多量に遊技板に設置された各種部品（例えば、弾球遊技機１の動作に関係する部品など）などに伝わるという事態を防止可能な構造を持つことができるとともに、表示装置から発生する熱による弾球遊技機１の故障を防止可能な構造を持つことができる。
【手続補正５】
【補正対象書類名】明細書
【補正対象項目名】０００８
【補正方法】変更
【補正の内容】
【０００８】
また、遊技板と表示装置との間に遊技球が通過可能な所定の間隔を形成するスペーサを備えことにより、弾球遊技機は、表示装置の表示が遊技盤に対して奥行きがあるような感覚を遊技者に与えることができ、演出効果を向上させることができる。また、弾球遊技機は、表示装置の表示に対して、遊技盤の遊技領域に投入された遊技球が宙に浮いているような感覚を遊技者に与えることができ、視覚的な演出効果を向上させることができる。
【手続補正６】
【補正対象書類名】明細書
【補正対象項目名】０００９
【補正方法】変更
【補正の内容】
【０００９】
また、前記スペーサは、前記表示装置に設けられた表示領域を視認可能とする貫通孔が設けられているため、正面側から見て液晶部が視認可能である。
【手続補正７】
【補正対象書類名】明細書
【補正対象項目名】００１０
【補正方法】変更
【補正の内容】
【００１０】
上記発明においては、少なくとも一部が透明な部材で前記所定の間隔に形成されており、遊技板の表面側の遊技領域に打ち出された遊技球を遊技板の裏側の遊技領域（例えば、遊技球通過領域３０３ａ，３０４ａ，４０８ａ）へ転動案内させるとともに、裏側の遊技領域に転動された遊技球を表側の遊技領域へ排出する裏通路部（例えば、裏通路部３００）と、裏通路部内を通過する遊技球を検出する検出部（例えば、検出部９１，９２）と、検出部による検出結果に基づいて遊技球の通過を判定する遊技球通過判定手段（例えば、ＣＰＵ）と、遊技球通過判定手段による判定結果に基づいて所定の演出を実行する演出実行手段（例えば、ＣＰＵ）とが備えられ、前記検出部は、前記スペーサに備えられているものとしてもよい。
【手続補正８】
【補正対象書類名】明細書
【補正対象項目名】００１１
【補正方法】変更
【補正の内容】
【００１１】
この場合には、少なくとも一部が透明な部材で前記所定の間隔に形成されており、遊技板の表面側の遊技領域に打ち出された遊技球を遊技板の裏側の遊技領域へ転動案内させるとともに、裏側の遊技領域に転動された遊技球を表側の遊技領域へ排出する裏通路部と、裏通路部内を通過する遊技球を検出する検出部と、検出部による検出結果に基づいて遊技球の通過を判定する遊技球通過判定手段と、遊技球通過判定手段による判定結果に基づいて所定の演出を実行する演出実行手段とが備えられ、前記検出部は、前記スペーサに備えられていることにより、遊技球が裏通路部を通過したことにより様々な演出が実行されるため、弾球遊技機は、遊技者に高い期待感を持たせることができるとともに、遊技の興趣を飛躍的に高めることができる。また、遊技板の裏側では遊技球が裏通路部を通過することにより、弾球遊技機は、遊技板の裏側を流下する遊技球によって表示装置に傷が付かないようにすることが可能な構造を持つことができる。さらに、表示装置から発する光が、透明な部材で形成された裏通路部を通過する遊技球に反射するため、弾球遊技機は、当該光の反射による演出効果も向上させることができる。
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
少なくとも一部が透明な部材で形成された遊技板から構成される遊技盤と、前記遊技板の裏面側に配備され、所定の画像を表示可能な表示装置とを有する弾球遊技機であって、
前記遊技板と前記表示装置との間に所定の間隔を形成するスペーサを備えたことを特徴とする弾球遊技機。
【請求項２】
前記スペーサは、前記表示装置に設けられた表示領域を視認可能とする貫通孔が設けられていることを特徴とする請求項１に記載の弾球遊技機。
【請求項３】
前記スペーサは、正面側から見て、前記表示装置の周縁部と重なる位置に備えられていることを特徴とする請求項１又は２のいずれかに記載の弾球遊技機。
【請求項４】
前記スペーサは、前記遊技板に対して、着脱可能に構成されていることを特徴とする請求項１乃至３のいずれかに記載の弾球遊技機。
【請求項５】
前記遊技板の所定位置には、係止部が備えられており、前記スペーサの所定位置には、前記係止部に係止されるための係止片が備えられていることを特徴とする請求項４に記載の弾球遊技機。
【請求項６】
弾球遊技機を遊技場に備えられる遊技島に固定するための外枠と、当該外枠に対して開閉可能に取り付けられた本体枠とを備え、
前記表示装置は、前記本体枠の裏面に対して着脱自在に取り付けられており、
前記遊技盤は、前記本体枠の前面に取り付けられていることを特徴とする請求項１乃至５のいずれかに記載の弾球遊技機。
【手続補正２】
【補正対象書類名】明細書
【補正対象項目名】０００５
【補正方法】変更
【補正の内容】
【０００５】
本発明は、以上の問題点を解決するために、少なくとも一部が透明な部材で形成された遊技板（例えば、遊技板３２）から構成される遊技盤（例えば、遊技盤３０）と、前記遊技板の裏面側に配備され、所定の画像を表示可能な表示装置（例えば、液晶ディスプレイ部７０）とを有する弾球遊技機であって、前記遊技板と前記表示装置との間に所定の間隔を形成するスペーサ（例えば、スペーサ１１０）を備えたことを特徴とする弾球遊技機としたことである。
【手続補正３】
【補正対象書類名】明細書
【補正対象項目名】０００６
【補正方法】変更
【補正の内容】
【０００６】
本発明によれば、遊技板と表示装置との間に所定の間隔を形成するスペーサを備えたことにより、弾球遊技機は、表示装置の動作に伴って発生する熱が多量に遊技板に設置された各種部品（例えば、弾球遊技機１の動作に関係する部品など）などに伝わるという事態を防止可能な構造を持つことができるとともに、表示装置から発生する熱による弾球遊技機１の故障を防止可能な構造を持つことができる。また、弾球遊技機は、表示装置に穴部が備えられていなくても、表示装置の表面側において駆動装置や球通路が配備された役物を備えることが可能な構造を持つことができる。
【手続補正４】
【補正対象書類名】明細書
【補正対象項目名】０００７
【補正方法】変更
【補正の内容】
【０００７】
また、遊技板と表示装置との間に所定の間隔を形成するスペーサを備えたことにより、弾球遊技機は、表示装置の表示が遊技盤に対して奥行きがあるような感覚を遊技者に与えることができ、演出効果を向上させることができる。また、弾球遊技機は、表示装置の表示に対して、遊技盤の遊技領域に投入された遊技球が宙に浮いているような感覚を遊技者に与えることができ、視覚的な演出効果を向上させることができる。さらに、作業者等がメンテナンス時において遊技板に配備された釘等を叩いたとしても、遊技板と表示装置との間に間隔が存在するため、弾球遊技機は、当該釘等から伝導される衝撃を直に表示装置に伝えないようにすることが可能な構造を持つことができる。
また、前記スペーサは、前記表示装置に設けられた表示領域を視認可能とする貫通孔が設けられているため、正面側から見て液晶部が視認可能である。
【手続補正５】
【補正対象書類名】明細書
【補正対象項目名】００１１
【補正方法】変更
【補正の内容】
【００１１】
上記発明において、弾球遊技機を遊技場に備えられる遊技島に固定するための外枠（例えば、外枠８０）と、当該外枠に対して開閉可能に取り付けられた本体枠（例えば、ベースドア６０）とを備え、前記表示装置は、前記本体枠の裏面に対して着脱自在に取り付けられており、前記遊技盤は、前記本体枠の前面に取り付けられているものとしてもよい。
従来では、遊技盤を交換するときには、正常動作が行える表示装置も一緒に交換されていたため、遊技盤だけの交換に必要なコストが高くなってしまっていた。本発明では、表示装置が本体枠の裏面に取り付けられたまま、遊技盤だけが本体枠から取り外すことが可能となり、遊技盤だけの交換に必要なコストが低減可能となる。
【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
鉗子チャンネルを備える内視鏡と、
前記鉗子チャンネルに挿抜可能な処置具を有する処置具ユニットとからなる内視鏡用処置具挿抜システムであって、
前記処置具ユニットに設けられ、前記処置具を前記鉗子チャンネル内に送り出し或いは引き戻し可能な挿抜機構と、
前記内視鏡に設けられ、前記挿抜機構に係合し、前記挿抜機構を駆動する駆動部とを備えていることを特徴とする内視鏡用処置具挿抜システム。
【請求項２】
前記挿抜機構が、前記処置具を巻回可能な回転部材と、前記駆動部に係合して駆動部の駆動力を前記回転部材に伝達して前記回転部材の回転力に変換する変換機構とを備えていることを特徴とする請求項１に記載の内視鏡用処置具挿抜システム。
【請求項３】
前記処置具ユニットが、前記回転部材から前記鉗子口までの前記処置具の途中部分を進退操作可能な手動操作部を備えていることを特徴とする請求項２に記載の内視鏡用処置具挿抜システム。
【請求項４】
前記処置具ユニットが、前記処置具の途中部分を進退操作可能な手動操作部を備えていることを特徴とする請求項１に記載の内視鏡用処置具挿抜システム。
【手続補正２】
【補正対象書類名】明細書
【補正対象項目名】０００５
【補正方法】変更
【補正の内容】
【０００５】
本発明は、上記課題を解決するため、以下の手段を採用する。
本発明に係る内視鏡用処置具挿抜システムは、鉗子チャンネルを備える内視鏡と、前記鉗子チャンネルに挿抜可能な処置具を有する処置具ユニットとからなる内視鏡処置具挿抜システムであって、前記処置具ユニットに設けられ、前記処置具を前記鉗子チャンネル内に送り出し或いは引き戻し可能な挿抜機構と、前記内視鏡に設けられ、前記挿抜機構に係合し、前記挿抜機構を駆動する駆動部を備えていることを特徴とする。
【手続補正３】
【補正対象書類名】明細書
【補正対象項目名】０００８
【補正方法】変更
【補正の内容】
【０００８】
また、本発明は、上記内視鏡処置具挿抜システムであって、前記処置具ユニットが、前記回転部材から前記鉗子口までの前記処置具の途中部分を進退操作可能な手動操作部を備えていることを特徴とする。
また、本発明は、上記内視鏡処置具挿抜システムであって、前記処置具ユニットが、前記処置具の途中部分を進退操作可能な手動操作部を備えていることを特徴とする。
この内視鏡用処置具挿抜システムは、上記の構成を備えているので、処置具の微妙な進退操作を必要に応じて駆動部による場合と手動による場合とで使い分けることができる。
【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
測定結果を表示し得る表示手段と、被検者の痛みの大きさに対応して変位させることができる操作部材を備える操作手段と、前記操作部材の変位量に応じて、痛みの大きさを定量化する演算部と、
痛みの大きさに応じた複数のパターンのシンボル画像を生成するためのデータを記憶する記憶手段とを有し、前記表示手段は、前記操作部材の変位量に応じて、痛みの大きさを定量化して表示するとともに、前記記憶手段に記憶されたデータに基づいて生成された痛みの大きさに対応するシンボル画像を表示するよう構成されていることを特徴とする痛み測定器。
【請求項２】
前記操作手段は、痛みの大きさを示すスケールと、前記スケールに沿って移動する操作部材とを備える請求項１に記載の痛み測定器。
【請求項３】
前記操作部材の連続的な変位に応じ、前記シンボル画像が視覚上連続的に変化するよう構成されている請求項１または２に記載の痛み測定器。
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備え、
前記各周回体が停止し、前記表示窓から視認できる有効位置に前記絵柄によって形成される特定絵柄の組合せが成立した場合、遊技者に特典を付与するように構成された遊技機において、
前記周回体の何れかが回転を開始してから所定時間が経過するまでの初期期間内になされた前記停止操作手段の操作又は操作結果を無効化する無効化手段と、
前記初期期間内に、前記特定絵柄の組合せに揃えた同期絵柄を形成するよう前記各駆動手段を制御する同期絵柄形成手段と
を備えたことを特徴とする遊技機。
【請求項２】
前記駆動制御手段は、
前記各周回体の回転を開始させて設定回転速度に至らしめるべく前記各駆動手段を初期駆動制御する初期駆動制御手段と、
前記初期駆動制御手段による初期駆動制御の実行後、前記設定回転速度が維持されるよう前記各駆動手段を定速駆動制御する定速駆動制御手段と、
前記同期絵柄形成手段と
を備え、
前記同期絵柄形成手段は、前記初期駆動制御手段による初期駆動制御の実行中に前記同期絵柄を形成するよう前記各駆動手段を制御することを特徴とする請求項１に記載の遊技機。
【請求項３】
前記無効化手段は、前記初期駆動制御が行われる期間と、前記定速駆動制御される一部の期間と、を含むように前記初期期間を設定することを特徴とする請求項２に記載の遊技機。
【請求項４】
前記停止操作手段が操作されたことを検出する停止操作検出手段を備え、前記無効化手段は、前記停止操作検出手段の検出結果を無効化することを特徴とする請求項１乃至請求項３のいずれかに記載の遊技機。
【請求項５】
前記同期絵柄を形成するか否かを判定する同期絵柄判定手段を備えたことを特徴とする請求項１乃至請求項４のいずれかに記載の遊技機。
【請求項６】
前記始動操作手段の操作に基づき前記特定絵柄の組合せを前記有効位置に停止させることが可能か否かの抽選を行う抽選手段を備え、前記同期絵柄判定手段は、前記抽選手段の抽選結果が当選である場合に前記同期絵柄を形成するか否かを判定することを特徴とする請求項５に記載の遊技機。
【請求項７】
前記複数種の絵柄の中でどの絵柄を用いて同期絵柄を形成するかを決定する絵柄決定手段を備えたことを特徴とする請求項１乃至請求項６のいずれかに記載の遊技機。
【請求項８】
前記複数種の絵柄の中でどの絵柄を用いて同期絵柄を形成するかを決定する絵柄決定手段を備え、該絵柄決定手段は、前記抽選手段の抽選結果が当選である場合に、前記同期絵柄を形成するための絵柄として前記抽選手段により当選と判定された当選絵柄を選択することを特徴とする請求項６に記載の遊技機。
【請求項９】
前記無効化手段は、前記同期絵柄形成手段が前記同期絵柄を形成する場合と、形成しない場合とで同一の初期期間を設定することを特徴とする請求項１乃至請求項８のいずれかに記載の遊技機。
【請求項１０】
前記各周回体の回転位置を検出する回転位置検出手段と、該回転位置検出手段の検出結果に基づいて前記絵柄の位置を把握する位置把握手段とを備え、前記同期絵柄形成手段は、前記位置把握手段の結果に基づいて前記同期絵柄を形成するものであることを特徴とする請求項１乃至請求項９のいずれかに記載の遊技機。
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備え、
前記各周回体が停止し、前記表示窓から視認できる有効位置に特定絵柄又は前記絵柄によって形成される特定絵柄の組合せが成立した場合、遊技者に特典を付与するように構成された遊技機において、
前記駆動制御手段が、
前記各周回体の回転を開始させて設定回転速度に至らしめるべく前記各駆動手段を初期駆動制御する初期駆動制御手段と、
前記初期駆動制御手段による初期駆動制御の実行後、前記設定回転速度が維持されるよう前記各駆動手段を定速駆動制御する定速駆動制御手段と、
前記初期駆動制御手段による初期駆動制御の実行中に前記各周回体のうち少なくとも１つの加速度を０又は０より大きく且つ前記初期駆動制御に基づく加速度より小さい加速度とするよう当該周回体に対応する駆動手段を加速遅延制御する加速度調整手段と
を備えていることを特徴とする遊技機。
【請求項２】
前記加速遅延制御を行うか否かを判定する加速遅延制御判定手段を備えたことを特徴とする請求項１に記載の遊技機。
【請求項３】
前記始動操作手段の操作に基づき前記特定絵柄又は前記特定絵柄の組合せを前記有効位置に停止させることが可能か否かの抽選を行う抽選手段を備え、前記加速遅延制御判定手段は、前記抽選手段の抽選結果が当選である場合に前記加速遅延制御を行うか否かを判定することを特徴とする請求項２に記載の遊技機。
【請求項４】
前記加速度調整手段は、前記特定絵柄又は前記特定絵柄の組合せと、前記加速遅延制御を行う前記周回体とを対応させて前記加速遅延制御を行うことを特徴とする請求項１乃至請求項３のいずれかに記載の遊技機。
【請求項５】
前記加速度調整手段は、前記複数種の絵柄のうち遊技者に対する示唆絵柄が前記表示窓を介して視認可能な位置を通過する状況下で、前記加速遅延制御を行うものであることを特徴とする請求項１乃至請求項４のいずれかに記載の遊技機。
【請求項６】
前記加速度調整手段は、前記周回体の全てが回転を開始した後に前記加速遅延制御を行うことを特徴とする請求項１乃至請求項５のいずれかに記載の遊技機。
【請求項７】
前記初期駆動制御手段による初期駆動制御の実行中に前記特定絵柄の組合せに揃えた同期絵柄を形成するよう前記各駆動手段を駆動制御する同期絵柄形成手段を備え、前記加速度調整手段は、前記同期絵柄が少なくとも前記表示窓を介して視認可能な位置を通過する状況下で、前記同期絵柄を形成した周回体に前記加速遅延制御を行うことを特徴とする請求項１又は請求項２に記載の遊技機。
【請求項８】
前記複数種の絵柄の中でどの絵柄を用いて同期絵柄を形成するかを決定する絵柄決定手段を備えたことを特徴とする請求項７に記載の遊技機。
【請求項９】
前記始動操作手段の操作に基づき前記特定絵柄又は前記特定絵柄の組合せを前記有効位置に停止させることが可能か否かの抽選を行う抽選手段を備え、前記絵柄決定手段は、前記抽選手段が当選と判定した際に、前記同期絵柄を形成するための絵柄として前記抽選手段により当選と判定された当選絵柄を選択することを特徴とする請求項８に記載の遊技機。
【請求項１０】
前記各周回体の回転位置を検出する回転位置検出手段と、該回転位置検出手段の検出結果に基づいて前記絵柄の位置を把握する位置把握手段とを備え、前記同期絵柄形成手段は、前記位置把握手段の結果に基づいて前記同期絵柄を形成するものであることを特徴とする請求項７乃至請求項９のいずれかに記載の遊技機。
【請求項１１】
前記同期絵柄形成手段は、前記各周回体に備えられた同期絵柄を形成するための絵柄の位置関係に応じて個別の加速度で各周回体が回転するよう前記駆動手段を駆動制御すると共に、前記同期絵柄を形成した後は全ての周回体が同一の速度で回転するよう前記駆動手段を駆動制御することを特徴とする請求項７乃至請求項１０のいずれかに記載の遊技機。
【請求項１２】
前記同期絵柄形成手段は、加速度が異なる複数種の加速パターンを記憶しており、前記各周回体に備えられた同期絵柄を構成するための絵柄の位置関係に応じた前記加速パターンにて各周回体が回転するよう前記駆動手段を駆動制御するとともに、前記同期絵柄を形成した後は全ての周回体が同一の加速パターンにて回転するよう前記駆動手段を駆動制御することを特徴とする請求項７乃至請求項１０のいずれかに記載の遊技機。
【手続補正書】
【提出日】平成18年11月24日(2006.11.24)
【手続補正１】
【補正対象書類名】明細書
【補正対象項目名】００２１
【補正方法】変更
【補正の内容】
【００２１】
図５に示すように、第１回転ディスク１２２は、その上面１２８の中央部が、回転軸線１３０を頂点とする錐形に形成された錐形部１３２と、その錐形部１３２の周囲に回転軸線１３０を中心とした水平部１３４が形成されている。
換言すれば、第１回転ディスク１２２の周縁部に回転軸線を中心とするリング状の水平部１３４が形成されている。
なお、錐形は四角錐や三角錐でもよいが、実施例に示す円錐形の場合、錐形の全周において均等な球体ＰＢに対する案内効果を得られるので最も好ましい。
【手続補正２】
【補正対象書類名】明細書
【補正対象項目名】００３５
【補正方法】変更
【補正の内容】
【００３５】
図５に示すように、回転ディスク１１４はヘッド１０８のすぐ下方に位置し、その上面１２８のほぼ全面がヘッド１０８の下端開口１９９に相対している。詳述すると、複数の第１開口部１３８がヘッド１０８の下端開口１９９に相対している。
したがって、ヘッド１０８内の球体ＰＢは同時に複数の第１開口１３８に落下することができる。
そして、球体ＰＢは、保持穴１６８に保留される。
【手続補正３】
【補正対象書類名】明細書
【補正対象項目名】００３８
【補正方法】変更
【補正の内容】
【００３８】
固定ガイド１１６の先端がリング溝１７８に配置することにより、第１回転ディスク１２２と第２回転ディスク１２４とで支持することができ、片持ち支持されている固定ガイド１１６の振動を抑制することができる。
ガイド孔７２の円径部は、回転軸線１３０と同心に配置され、ヘッド１０８の内方のほぼ延長上に位置している。
これにより、保持穴１６８内の球体ＰＢがガイド孔１７２によって案内されて回転ディスク１１４と一体に移動することができる。
しかし、ガイド孔１７２の機能は、ガイド溝１５６によって代替え可能である。その場合、固定ガイド１１６は、単体で形成され、上記と同様に配置される。
【手続補正４】
【補正対象書類名】明細書
【補正対象項目名】００４４
【補正方法】変更
【補正の内容】
【００４４】
この検出信号は、払い出した球体ＰＢのカウントに用いられる。
センサ２１８は、塵埃の影響を受けない近接センサが好ましいが、光電センサ等他のセンサを使用することができる。
図５に示すように、ヘッド１０８の内方は、案内溝１３６の外縁に隣接している。
これにより、球体ＰＢが案内溝１３６に速やかに落下するようにしている。
さらに、出口１２０の上方のヘッド１０８の内面に、膨出部２２６が形成されている。
この膨出部２２６と第１開口部１３８の対面する縁部２２８との距離は、球体ＰＢの直径よりも僅かに小さく形成されている。
これにより、出口１２０直上において、保持穴１６８内の球体ＰＢの上に球体ＰＢが乗ることがないので、確実に１つの球体ＰＢのみが払い出される。
【手続補正５】
【補正対象書類名】明細書
【補正対象項目名】００５０
【補正方法】変更
【補正の内容】
【００５０】
図５に示すように、ヘッド１０８の下端開口１９９は複数の第１開口部１３８に相対しているので、重力で落下するにも関わらず、球体ＰＢは同時に複数の第１開口部１３８に落下出来る。
このため、第１回転ディスク１２２が高速回転しても第１開口部１３８には必ず球体ＰＢが保留されているため、それら球体ＰＢは歯抜けすることなく払い出すことができる。
したがって、球体ＰＢの払出数は、実質的に重力の影響を受けることがない。
【手続補正６】
【補正対象書類名】図面
【補正対象項目名】図５
【補正方法】変更
【補正の内容】
【図５】
2005152372.tif 000001
【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
駆動装置によって回転される駆動軸と、該回転軸に装着されるロータボディと、該ロータボディに形成されたバケット収納部と該バケット収納部に配置された円柱状のピン部と、該ピン部とピン係合部を介してし揺動可能に配される複数のバケットを有するスイングロータを備えた遠心機において、
前記ピン部の円周面側の前記ピン係合部に係合部環状溝を設け、前記ピン部端面と、ピン係合部端面との隙間よりも、係合部環状溝の幅の方が大きくなるよう構成されていることを特徴とするスイングロータを備えた遠心機。
【請求項２】
前記係合部環状溝に環状溝アール部を設け、該環状溝アール部の曲率半径を前記係合部環状溝の１／２に設けることを特徴とする請求項１記載の遠心機。
【請求項３】
駆動装置によって回転される駆動軸と、該回転軸に装着されるロータボディと、該ロータボディに形成されたバケット収納部と該バケット収納部に配置された円柱状のピン部と、該ピン部とピン係合部を介してし揺動可能に配される複数のバケットを備えたスイングロータにおいて、
前記ピン部の円周面側の前記ピン係合部に係合部環状溝を設け、前記ピン部端面と、ピン係合部端面との隙間よりも、係合部環状溝の幅の方が大きくなるよう構成されていることを特徴とするスイングロータ。
【請求項４】
前記係合部環状溝に環状溝アール部を設け、該環状溝アール部の曲率半径を前記係合部環状溝の１／２に設けることを特徴とする請求項１記載のスイングロータ。